(57)【要約】【課題】  本発明の課題は、筆の先端部の毛の部分に残った墨汁や絵の具を洗いやすくした筆あるいは絵筆等の文房具を提供する。【解決手段】  本発明の課題は、筆の洗浄時に筆の持ち手部分が開いたり取り外したり筆の上側へ引き上げたりすることができることにより、筆あるいは絵筆等の文房具の先端部の毛の部分が芯の付け根まですべて容易に露出し、毛の部分に洗浄水がくまなくあたることにより容易に洗浄できることを特徴とする筆あるいは絵筆等の文房具によって解決される。【選択図】図１
2010274640.tif 000002
【特許請求の範囲】
【請求項１】
筆の使用時は通常の筆と同じように使用でき、毛の芯をひもあるいは金具等の器具等で筆の筒の部分に固定し、筆の洗浄時には筆の持ち手部分が開いたり、取り外したり、筆の持ち手部分を上側の部分より少し大きくし持ち手部分を筆の上側へ引き上げたりすることができることにより、筆の先端部の毛の部分が芯の付け根まですべて露出し、毛の部分に洗浄水がくまなくあたることにより容易に洗浄できるようにする、ことを特徴とする筆あるいは絵筆等の文房具。
【請求項２】
前記、筆の先端部の毛の芯の付け根の部分をあらかじめいくつかの部分に分けたり、毛の芯の部分に管を挿入したり、挿入した管を筆の上側の上端までつなげ上端の穴に水道管との連結用の器具を設置あるいは接続できるようにすることにより、水がくまなく毛の芯の部分にあたり容易に洗浄できるようにする、ことを特徴とする請求項１に記載の筆あるいは絵筆等の文房具。
【発明の詳細な説明】
【技術分野】
【０００１】  本発明は、筆の先端部の毛の部分に残った墨汁や絵の具を洗いやすくした筆あるいは絵筆等の文房具に関する。
【背景技術】
【０００２】  筆あるいは絵筆等の文房具は使用後、筆の先端部の毛の部分に使った墨汁や絵の具が残り水洗いしても毛の芯の部分がなかなか洗浄できないため、何度も繰り返し洗浄しなければならなかったり、十分に洗浄できないと違う色に変えた場合前の色と色が混ざったりした。【０００３】
【特許文献１】特開２０００−１０８６（Ｐ２０００−１０８６Ａ）号公報
【０００４】  上記特許文献に記載された発明は筆に水溜め部を設けた筆である。しかしながら、この発明では、筆の構図が複雑になり費用がかかることや水溜め部の容量が少ないため筆の先の毛の部分を十分に洗浄できないという問題があった。
【発明の概要】
【発明が解決しようとする課題】
【０００５】  本発明の課題は、上述のような背景を踏まえて、筆の先端部の毛の部分に残った墨汁や絵の具を洗いやすくした筆あるいは絵筆等の文房具を提供することにある。
【課題を解決するための手段】
【０００６】  本発明の課題は、筆あるいは絵筆等の文房具の先端部の毛の部分が芯の付け根まですべて容易に露出し、毛の部分に洗浄水がくまなくあたることにより容易に洗浄できること、を特徴とする筆あるいは絵筆等の文房具（以下「本発明の筆」という。）によって解決される。【０００７】  上記に記載の筆は、筆の使用時は通常の筆と同じように使用でき、毛の芯をひもあるいは金具等の器具等で筆の筒の部分に固定し、筆の洗浄時には筆の持ち手部分が開いたり、取り外したり、筆の持ち手部分を上側の部分より少し大きくし持ち手部分を筆の上側へ引き上げるたりすることができることにより、筆の先端部の毛の部分が芯の付け根まですべて露出し、毛の部分に洗浄水がくまなくあたることにより容易に洗浄できるようにしたものである。なお、芯の付け根の毛の上端は毛が抜けないようにひも等で堅く縛ったり樹脂等で固めて固定することもできる。【０００８】  従来の筆は、筆の毛の付け根の芯の部分が筆の持ち手部分に隠れて露出しないために、水で洗っても、芯の部分に使った墨汁や絵の具が残るために何度も水洗いする必要があった。しかし、上述のように芯の部分を容易に露出するようにすることにより、洗浄が容易となるものである。【０００９】  なお、芯の部分を露出する方法としては、例えば筆の持ち手部分をいくつかの部分に分けてこの部分が洗浄時に開いたり、この部分を取り外したり、筆の持ち手部分を上側の部分より少し大きくし持ち手部分を筆の上側へ引き上げたりする方法などが考えられる。なお、筆の芯の部分を筆の筒の部分に固定する方法としては、芯の部分をひもあるいは金具等の器具等でくくってその一端を筆の筒の部分に固定する方法が考えられる。【００１０】  また、請求項２に記載の筆は、筆の先端部の毛の芯の付け根の部分をあらかじめいくつかの部分に分けたり、毛の芯の部分に管を挿入したりすることにより、水がくまなく毛の芯の部分にあたり容易に洗浄できるようにしたものである。【００１１】  また、挿入した管を筆の上側の上端までつなげ、筆の上端の穴に水道管との連結用の器具を設置あるいは接続できるようにすることにより、水道水を筆の中を通水して直接毛の芯の部分に当てることにより容易に洗浄できるようにすることもできる。なお、連結用の器具は、ゴムあるいはプラスチックで作ることもできるし、筆の上部の穴を水道管の大きさに合わせて直接水道管と連結することもできる。
【発明の効果】
【００１２】  以上説明したように、本発明の筆によれば、筆の芯の部分に洗浄水がくまなくあたることにより、筆が容易に洗浄できる。【００１３】
【図面の簡単な説明】
【００１４】
【図１】本発明の筆の洗浄時に持ち手部分が開く筆の説明図である。
【図２】本発明の筆の毛の芯の部分をいくつかの部分に分けた筆の説明図である。
【図３】本発明の筆の毛の芯の部分に管をつけた筆の使用時の説明図である。
【発明を実施するための形態】
【００１５】  以下、添付図を参照しながら本発明の筆の一例について説明する。図１は本発明の筆にかかる洗浄時に持ち手部分が開く筆の説明図である。また、図２は本発明の筆にかかる毛の芯の部分をいくつかの部分に分けた筆の説明図である。また、図３は本発明の筆にかかる毛の芯の部分に管をつけた筆の使用時の説明図である。
【００１６】  図１の筆は一定の長さを有しており、毛の芯の部分が金具７によって筆の筒の部分１に固定されている。その筆の筒の部分１の持ち手部分の毛の芯２を覆っている部分３が開くようにできている。部分３は金具あるいはひも等で筒の部分１と連結されている。部分３はいくつかが連結して結合されており、筆の毛の部分４で一体化するようにされている。この毛の部分４の連結を解くことにより、開くことができる。この開いた部分は取り外すこともできるし、ひも等で連結することもできる。また、筆の持ち手部分を上側の部分より少し大きくし持ち手部分を筆の上側へずらすことにより毛の芯の部分２を露出することもできる。
【００１７】  図２の筆は、毛の芯２の部分をいくつかの部分に分けたものである。これにより、露出した毛の芯の部分の表面積が大きくなり、洗浄時に水に接する面積が大きくなり、洗浄が容易となるものである。なお、いくつかに分けた部分は開いた持ち手部分を閉じることによりひとかたまりとすることができる。
【００１８】  図３の筆は、毛の芯２の部分に筆の上端から連続する管５をつけたものである。管の上端の穴６は穴の大きさを水道管と連結できる大きさとしているため、水道管の蛇口のところにこの筆をかざすことにより、水道水が筆の上端の穴６から入って管５を通って毛の芯２の部分にあたるため、容易に洗浄できるものである。
【符号の説明】
【００１９】１  筆の筒の部分
２  毛の芯の部分
３  筆の毛の芯の部分を覆う部分
４  筆の毛の部分
５  筆の中の管
６  筆の管の上端の穴
７  毛の芯を固定する金具
８  水道の蛇口
【図１】
2010274640.tif 000003
【図２】
2010274640.tif 000004
【図３】
2010274640.tif 000005